(57)【要約】【課題】本発明は、デジタルメディアサーバーに提供される完全な画像を即時に壁紙画像とすることによって、壁紙画像を設置する時の便利さを大幅に高めることができる壁紙画像の設置方法とデジタルメディアコントローラを提供することを課題とする。【解決手段】本発明に開示される壁紙画像の設置方法は次のステップ、即ち、トリガイベントが検出された場合、ファイルソースリストに基づいて、デジタルメディアサーバーのターゲットフォルダより画像を取得するステップと、この画像をデジタルメディアコントローラのタッチセンサー表示ユニットの現在の壁紙画像とするステップを含む。その場合、画像の表示サイズはタッチセンサー表示ユニットのデスクトップ表示ルールを満たすようにする。【選択図】図４
2014016984.tif 000002
【特許請求の範囲】
【請求項１】
タッチセンサー表示ユニットを有するデジタルメディアコントローラに適用され、前記デジタルメディアコントローラは、ファイルソースリストを有し、前記ファイルソースリストはデジタルメディアサーバーのターゲットフォルダの位置を提供するものである壁紙画像の設置方法であって、
トリガイベントが検出された場合、前記ファイルソースリストに基づいて、前記デジタルメディアサーバーの前記ターゲットフォルダより第一画像を取得するステップと、
前記第一画像を前記タッチセンサー表示ユニットの現在の壁紙画像とするステップとを備え、
前記第一画像の表示サイズは前記タッチセンサー表示ユニットのデスクトップ表示ルールを満たしていることを特徴とする壁紙画像の設置方法。
【請求項２】
第一操作インターフェースを表示するステップと、
前記第一操作インターフェースに対応する選択操作が検出された場合、前記選択操作に基づいて、前記デジタルメディアサーバーと前記ターゲットフォルダを選択するステップとをさらに備えることを特徴とする請求項１に記載の壁紙画像の設置方法。
【請求項３】
所定時間を経た後、前記デジタルメディアサーバーの前記ターゲットフォルダより第二画像を取得するステップと、
前記第二画像を前記タッチセンサー表示ユニットの現在の前記壁紙画像とするステップとをさらに備え、
前記第二画像の表示サイズは前記タッチセンサー表示ユニットの前記デスクトップ表示ルールを満たしていることを特徴とする請求項１に記載の壁紙画像の設置方法。
【請求項４】
第一入力信号が検出された場合、前記第一画像を前記タッチセンサー表示ユニットの現在の前記壁紙画像とするステップをさらに備え、
前記第一入力信号は前記タッチセンサー表示ユニットの第一コントロール領域にタッチすることによって引き起こされることを特徴とする請求項３に記載の壁紙画像の設置方法。
【請求項５】
第二入力信号が検出された場合、前記ファイルソースリストに基づいて、前記デジタルメディアサーバーの前記ターゲットフォルダより第三画像を取得するステップと、
前記第三画像を前記タッチセンサー表示ユニットの現在の前記壁紙画像とするステップとをさらに備え、
前記第二入力信号は前記タッチセンサー表示ユニットの第二コントロール領域にタッチすることによって引き起こされることを特徴とする請求項４に記載の壁紙画像の設置方法。
【請求項６】
前記タッチセンサー表示ユニットの前記第一コントロール領域と前記第二コントロール領域を定義するステップをさらに備えることを特徴とする請求項５に記載の壁紙画像の設置方法。
【請求項７】
前記ファイルソースリストに基づいて、前記デジタルメディアサーバーの前記ターゲットフォルダより新たに前記第一画像を取得するステップをさらに備えることを特徴とする請求項４に記載の壁紙画像の設置方法。
【請求項８】
第三入力信号が検出された場合、アプリケーションプロセスを実行するステップをさらに備え、
前記第三入力信号は前記タッチセンサー表示ユニットのアプリケーションプロセスのショートカットにタッチすることによって引き起こされることを特徴とする請求項４に記載の壁紙画像の設置方法。
【請求項９】
タッチセンサー表示ユニットと、
前記タッチセンサー表示ユニットに接続され、トリガイベントを検出するイベント検出ユニットと、
前記イベント検出ユニットに接続される画像取得ユニットと、
前記タッチセンサー表示ユニットと、前記イベント検出ユニットと、前記画像取得ユニットとに接続される壁紙画像設置ユニットとを備え、
前記イベント検出ユニットがトリガイベントを検出した場合、前記画像取得ユニットはファイルソースリストに基づいて、デジタルメディアサーバーのターゲットフォルダより第一画像を取得し、
前記壁紙画像設置ユニットは前記第一画像を前記タッチセンサー表示ユニットの現在の壁紙画像とし、
前記第一画像の表示サイズは前記タッチセンサー表示ユニットの前記デスクトップ表示ルールを満たしていることを特徴とするデジタルメディアコントローラ。
【請求項１０】
前記タッチセンサー表示ユニットは第一操作インターフェースを表示し、前記イベント検出ユニットは前記第一操作インターフェースに対応する選択操作を検出した場合、前記画像取得ユニットは前記選択操作に基づいて、前記デジタルメディアサーバーと前記ターゲットフォルダを選択することを特徴とする請求項９に記載のデジタルメディアコントローラ。
【請求項１１】
前記画像取得ユニットは所定時間を経た後、前記デジタルメディアサーバーの前記ターゲットフォルダより第二画像を取得し、前記壁紙画像設置ユニットは前記第二画像を前記タッチセンサー表示ユニットの現在の前記壁紙画像とし、前記第二画像の表示サイズは前記タッチセンサー表示ユニットの前記デスクトップ表示ルールを満たしていることを特徴とする請求項９に記載のデジタルメディアコントローラ。
【請求項１２】
前記イベント検出ユニットは第一入力信号を検出した場合、前記壁紙画像設置ユニットは前記第一画像を前記タッチセンサー表示ユニットの現在の前記壁紙画像とし、前記第一入力信号は前記タッチセンサー表示ユニットの第一コントロール領域にタッチすることによって引き起こされることを特徴とする請求項１１に記載のデジタルメディアコントローラ。
【請求項１３】
前記イベント検出ユニットは第二入力信号を検出した場合、前記画像取得ユニットは前記ファイルソースリストに基づいて、前記デジタルメディアサーバーの前記ターゲットフォルダより第三画像を取得し、前記壁紙画像設置ユニットは前記第三画像を前記タッチセンサー表示ユニットの現在の前記壁紙画像とし、前記第二入力信号は前記タッチセンサー表示ユニットの第二コントロール領域にタッチすることによって引き起こされることを特徴とする請求項１２に記載のデジタルメディアコントローラ。
【請求項１４】
前記タッチセンサー表示ユニットに接続され、前記タッチセンサー表示ユニットの前記第一コントロール領域と前記第二コントロール領域を定義するコントロール領域定義ユニットをさらに備えることを特徴とする請求項１３に記載のデジタルメディアコントローラ。
【請求項１５】
前記画像取得ユニットは前記ファイルソースリストに基づいて、前記デジタルメディアサーバーの前記ターゲットフォルダより新たに前記第一画像を取得することを特徴とする請求項１２に記載のデジタルメディアコントローラ。
【請求項１６】
前記イベント検出ユニットに接続されるアプリケーションプロセス実行ユニットをさらに備え、
前記イベント検出ユニットは第三入力信号を検出した場合、前記アプリケーションプロセス実行ユニットはアプリケーションプロセスを実行し、
前記第三入力信号は前記タッチセンサー表示ユニットのアプリケーションプロセスのショートカットにタッチすることによって引き起こされることを特徴とする請求項１２に記載のデジタルメディアコントローラ。
【発明の詳細な説明】
【技術分野】
【０００１】
本発明は壁紙画像の設置方法とデジタルメディアコントローラに関するものであり、特に、即時にダウンロードすることができ、且つ壁紙画像を自動的に設置する方法と、それを適用するためのデジタルメディアコントローラに関するものである。
【背景技術】
【０００２】
科学技術の迅速な発展に伴い、携帯電話、或はモバイルデバイスのサイズはますます小さくなってきた。携帯電話、或はモバイルデバイスの保存容量もそれに応じて減少される。一般的に言えば、携帯電話の壁紙は、ユーザーの好みに応じて自由に変更することができるが、前提条件として壁紙に使用される画像は、この携帯電話の中に保存しなければならない。
【０００３】
即ち、仮に携帯電話のユーザーが、携帯電話に保存されていない画像を携帯電話の壁紙として使用したい場合、ユーザーは、まず、この画像を携帯電話にダウンロードしてから、画像を携帯電話の壁紙として使用する。しかし、ダウンロードされた画像の解像度、或はサイズが、携帯電話のディスプレイの解像度と互換性をもたない場合、即ちダウンロードされた画像の解像度が高すぎ、或はサイズが大きすぎる時に、壁紙として表示するには、ユーザーは、画像の一部を切り取らなければならないから、使用上の便利さは大幅に低減される。
【発明の概要】
【発明が解決しようとする課題】
【０００４】
これに鑑み、本発明の目的は、デジタルメディアサーバーに提供される完全な画像を即時に壁紙画像とすることによって、壁紙画像を設置する時の便利さを大幅に高めることができる壁紙画像の設置方法とデジタルメディアコントローラを提供することを課題とする。
【課題を解決するための手段】
【０００５】
上記の目的を達成するために、本発明に基づいた壁紙画像の設置方法はタッチセンサー表示ユニットを有するデジタルメディアコントローラに適用され、デジタルメディアコントローラは、ファイルソースリストを有し、ファイルソースリストはデジタルメディアサーバーのターゲットフォルダの位置を提供するものであって、その場合、上記の壁紙画像の設置方法は次のステップを含む。即ち、トリガイベントが検出された場合、ファイルソースリストに基づいて、デジタルメディアサーバーのターゲットフォルダより第一画像を取得するステップと、第一画像をタッチセンサー表示ユニットの現在の壁紙画像とするステップとを備える。その場合、第一画像の表示サイズはタッチセンサー表示ユニットのデスクトップ表示ルールを満たしている。
【０００６】
本発明の一実施例において、上記の壁紙画像の設置方法は次のステップをさらに含む。第一操作インターフェースを表示するステップと、第一操作インターフェースに対応する選択操作が検出された場合、選択操作に基づいて、デジタルメディアサーバーとターゲットフォルダを選択するステップとを備える。
【０００７】
本発明の一実施例において、上記の壁紙画像の設置方法は次のステップをさらに含む。所定時間を経た後、デジタルメディアサーバーのターゲットフォルダより第二画像を取得するステップと、第二画像をタッチセンサー表示ユニットの現在の壁紙画像とするステップとを備える。その場合、第二画像の表示サイズはタッチセンサー表示ユニットのデスクトップ表示ルールを満たしている。
【０００８】
本発明の一実施例において、上記の壁紙画像の設置方法は次のステップをさらに含む。第一入力信号が検出された場合、第一画像をタッチセンサー表示ユニットの現在の壁紙画像とするステップを備える。その場合、第一入力信号はタッチセンサー表示ユニットの第一コントロール領域にタッチすることによって引き起こされる。
【０００９】
本発明の一実施例において、上記の壁紙画像の設置方法は次のステップをさらに含む。第二入力信号が検出された場合、ファイルソースリストに基づいて、デジタルメディアサーバーのターゲットフォルダより第三画像を取得するステップと、第三画像をタッチセンサー表示ユニットの現在の壁紙画像とするステップとを備える。その場合、第二入力信号はタッチセンサー表示ユニットの第二コントロール領域にタッチすることによって引き起こされる。
【００１０】
本発明の一実施例において、上記の壁紙画像の設置方法は次のステップをさらに含む。タッチセンサー表示ユニットの第一コントロール領域と第二コントロール領域を定義するステップを備える。
【００１１】
本発明の一実施例において、上記の壁紙画像の設置方法は次のステップをさらに含む。ファイルソースリストに基づいて、デジタルメディアサーバーのターゲットフォルダより新たに第一画像を取得するステップを備える。
【００１２】
本発明の一実施例において、上記の壁紙画像の設置方法は次のステップをさらに含む。第三入力信号が検出された場合、アプリケーションプロセスを実行するステップを備える。その場合、第三入力信号はタッチセンサー表示ユニットのアプリケーションプロセスのショートカットにタッチすることによって引き起こされる。
【００１３】
さらにまた、本発明は、タッチセンサー表示ユニットと、イベント検出ユニットと、画像取得ユニットと、壁紙画像設置ユニットとを備えるデジタルメディアコントローラを提供する。イベント検出ユニットはタッチセンサー表示ユニットに接続され、トリガイベントを検出するために用いられる。画像取得ユニットはイベント検出ユニットに接続される。壁紙画像設置ユニットはタッチセンサー表示ユニットと、イベント検出ユニットと、画像取得ユニットとに接続され、イベント検出ユニットがトリガイベントを検出した場合、画像取得ユニットはファイルソースリストに基づいて、デジタルメディアサーバーのターゲットフォルダより第一画像を取得し、壁紙画像設置ユニットは第一画像をタッチセンサー表示ユニットの現在の壁紙画像とし、第一画像の表示サイズはタッチセンサー表示ユニットのデスクトップ表示ルールを満たしている。
【００１４】
本発明の一実施例において、上記タッチセンサー表示ユニットは第一操作インターフェースを表示する。イベント検出ユニットは第一操作インターフェースに対応する選択操作を検出した場合、画像取得ユニットは選択操作に基づいて、デジタルメディアサーバーとターゲットフォルダを選択する。
【００１５】
本発明の一実施例において、上記画像取得ユニットは所定時間を経た後、デジタルメディアサーバーのターゲットフォルダより第二画像を取得し、壁紙画像設置ユニットは、第二画像をタッチセンサー表示ユニットの現在の壁紙画像とし、第二画像の表示サイズはタッチセンサー表示ユニットのデスクトップ表示ルールを満たしている。
【００１６】
本発明の一実施例において、イベント検出ユニットは第一入力信号を検出した場合、壁紙画像設置ユニットは第一画像をタッチセンサー表示ユニットの現在の壁紙画像とし、第一入力信号はタッチセンサー表示ユニットの第一コントロール領域にタッチすることによって引き起こされる。
【００１７】
本発明の一実施例において、イベント検出ユニットは第二入力信号を検出した場合、画像取得ユニットはファイルソースリストに基づいて、デジタルメディアサーバーのターゲットフォルダより第三画像を取得し、壁紙画像設置ユニットは第三画像をタッチセンサー表示ユニットの現在の壁紙画像とし、第二入力信号はタッチセンサー表示ユニットの第二コントロール領域にタッチすることによって引き起こされる。
【００１８】
本発明の一実施例において、上記デジタルメディアコントローラは、コントロール領域定義ユニットをさらに備える。コントロール領域定義ユニットはタッチセンサー表示ユニットに接続され、タッチセンサー表示ユニットの第一コントロール領域と第二コントロール領域を定義するために用いられる。
【００１９】
本発明の一実施例において、上記画像取得ユニットはファイルソースリストに基づいて、デジタルメディアサーバーのターゲットフォルダより新たに第一画像を取得する。
【００２０】
本発明の一実施例において、上記デジタルメディアコントローラは、アプリケーションプロセス実行ユニットをさらに含む。アプリケーションプロセス実行ユニットはイベント検出ユニットに接続される。イベント検出ユニットは第三入力信号を検出した場合、アプリケーションプロセス実行ユニットはアプリケーションプロセスを実行し、第三入力信号はタッチセンサー表示ユニットのアプリケーションプロセスのショートカットにタッチすることによって引き起こされる。
【発明の効果】
【００２１】
上述に基づいて、本発明は、壁紙画像の設置方法とデジタルメディアコントローラを提供し、プリセットルールに基づいて、デジタルメディアサーバーより画像を取得することができ、且つ取得された画像を即時にデジタルメディアコントローラのタッチセンサー表示ユニットの壁紙画像とする。また本発明は、デジタルメディアコントローラのタッチセンサー表示ユニットのデスクトップ表示ルールに基づいて、画像を調整且つ表示する。よって、壁紙画像を設置する時の便利さが大幅に高められる。
【図面の簡単な説明】
【００２２】
【図１】本発明の実施例１に係るデジタルメディアコントローラとデジタルメディアサーバーの概略図である。
【図２】本発明の実施例１に係るタッチセンサー表示ユニットに表示される操作インターフェースの概略図である。
【図３】本発明の実施例２に係るタッチセンサー表示ユニットに表示される操作インターフェースの概略図である。
【図４】本発明の実施例２に係る壁紙画像を設置する方法のフロー図である。
【発明を実施するための形態】
【００２３】
本発明の上記特徴と長所をより分かりやすくするために、以下に例を挙げ、図面を参照しつつ詳細に説明する。
【００２４】
本発明は、スマートフォンなどの小容量の電子装置において、任意の画像を保存しなくても即時に表示或は壁紙を切替える機能を達成できるようにするために、壁紙画像の設置方法を提供する。トリガイベント（例えば、ユーザーが壁紙画像を切り替える指示を下す）が検出された場合、即時にデジタルメディアサーバー（Digital Media Server）より画像を取得し、且つ取得された画像を壁紙画像とする。また、本発明は、タッチセンサー表示ユニットのデスクトップ表示ルール（例えば、壁紙画像の解像度、或は壁紙画像の表示形態。表示形態はフルスクリーン表示と、設定されたサイズに基づいての表示と、元サイズに基づいての表示とを含む。）に基づいて、画像を適応的に調整して壁紙画像に表示される時の表示サイズとする。よって、画像の一部を切り取ることなく、完全な画像を即時に壁紙画像とし、且つタッチセンサー表示ユニットのデスクトップに表示することができる。また、本発明は、上記壁紙画像の設置方法を実施するためのデジタルメディアコントローラをさらに提供する。本発明の内容をより分かりやすくするために、以下、本発明を確実に実施できる見本となる実施例を挙げて説明する。
【実施例１】
【００２５】
図１は本発明の実施例に係るデジタルメディアコントローラとデジタルメディアサーバーの概略図である。図１に示す如く、デジタルメディアコントローラ１０は、タッチセンサー表示ユニット１１と、イベント検出ユニット１２と、画像取得ユニット１３と、壁紙画像設置ユニット１４とを備える。デジタルメディアコントローラ１０は、携帯電話、パーソナルデジタルアシスタント（ＰＤＡ）、スマートフォン（smart phone）、電子書籍、ゲーム機、或はタブレットコンピュータなどの各種のポータブル電子装置に搭載することができる。また、デジタルメディアコントローラ１０は、デスクトップコンピュータと類似する電子装置にも搭載することができ、ここでは、デジタルメディアコントローラ１０の実施方式は制限しない。ここで注意すべきことは、本実施例において、デジタルメディアコントローラ１０はその他の素子、或はユニットを備えることができ、本発明は図示したものに限定されるものではない。
【００２６】
タッチセンサー表示ユニット１１は入力及び出力インターフェースとして用いられ、且つ壁紙画像を表示することができる。本実施例において、タッチセンサー表示ユニット１１は例えば、静電容量、電圧式、或は光学式などの各種タッチスクリーン（Touch Screen）、或はタッチパネル（Touch Panel）であることができる。イベント検出ユニット１２はトリガイベント、或はタッチセンサー表示ユニット１１の入力信号を検出するために用いられ、例えば、ユーザーの指がタッチセンサー表示ユニット１１でタッチするなどの入力操作を検出する。本実施例において、イベント検出ユニット１２はタッチスクリーンコントローラ（Touch Screen Controller）、或は信号処理と分析能力を有するプロセッサ、或はコントローラであることができる。また、イベント検出ユニット１２が検出できるイベントは、ユーザーの顔の表情、ジェスチャー、或は音声コマンドなども検出できるようにすることができ、本発明は、イベント検出ユニット１２が検出できる信号の種類を限定しない。
【００２７】
画像取得ユニット１３は画像を取得するために用いられ、例えば、画像取得ユニット１３はネットワークインターフェースカード（Network Interface Card）（図示しない）によって、インターネットを通して、デジタルメディアサーバー２０から一枚、或は複数の画像を取得することができる。壁紙画像設置ユニット１４はタッチセンサー表示ユニット１１と、イベント検出ユニット１２と、画像取得ユニット１３に接続され、タッチセンサー表示ユニット１１の壁紙画像を設置するために用いられる。
【００２８】
デジタルメディアサーバー２０はデジタルリビングネットワークアライアンス（Digital Living Network Alliance, DLNA）サーバ、或はその他のピアツーピア（Peer-to-Peer）のファイル伝送を支援するサーバであることができ、本発明はそれを限定するものではない。特に、本実施例において、デジタルメディアサーバー２０は異なるサイズと異なる解像度の画像を保存することができ、これらの画像はデジタルメディアサーバー２０の一つ、或は複数のフォルダにそれぞれ保存する。また、デジタルメディアサーバー２０の各フォルダ及びそのうちの画像の個別のファイルパスは一つ、或は複数のファイルソースリストに記録されることができる。よって、デジタルメディアコントローラ１０を使用するリモートユーザー（例えば、デジタルリビングネットワークアライアンスのクライアント）は、デジタルメディアサーバー２０から一つ、或は複数のファイルソースリストを取得することができ、且つニーズに基づいて、ファイルソースリストを参考し、デジタルメディアサーバー２０から必要な画像を取得する。
【００２９】
ここで注意すべきことは、図１のデジタルメディアサーバー２０は、実質上一台、或は複数のリモートサーバーであることができ、使用のニーズによって、適切な数に調整することができ、本発明はこれに限定されるものではない。また、画像取得ユニット１３は有線（wire）、或は無線（wireless）の接続方式によって、デジタルメディアサーバー２０と接続及びファイル伝送を行うことができる。
【００３０】
ここで説明すべきことは、本実施例において、画像取得ユニット１３は自動的にデジタルメディアサーバー２０から一つの特定のデジタルメディアサーバーとそのうちのフォルダを選択してターゲットフォルダとすることができ、このターゲットフォルダより画像をダウンロードする、ということである。或はまた、タッチセンサー表示ユニット１１は、ユーザーの選択操作のために受信した操作インターフェースを表示することができ、イベント検出ユニット１２がこの操作インターフェースに対応する選択操作を検出した場合、画像取得ユニット１３は、この選択操作に基づいて、デジタルメディアサーバー２０から一つの特定のデジタルメディアサーバーとそのうちのフォルダを選択し、ターゲットフォルダとすることができる。よって、ユーザーの好みに基づいて、壁紙画像とする画像ソースを随時に変更することができる。しかしながら、本発明はこれに限定されるものではない。本発明のもう一つの実施例において、ユーザーはタッチセンサー表示ユニット１１に表示される操作インターフェースによって、複数のデジタルメディアサーバーの中の複数のフォルダを選択することができ、且つこれらのフォルダを同時にターゲットフォルダとすることによって、ユーザーのニーズに基づいて、必要な画像を取得するために、これらのターゲットフォルダの中で随時に切替えることができる。
【００３１】
さらに具体的に言えば、本実施例において、デジタルメディアコントローラ１０は事前に選択されたデジタルメディアサーバー２０から一つ、或は複数のファイルソースリストを受信することができる。イベント検出ユニット１２がトリガイベント（例えば、ユーザーが壁紙画像を切り替える指示を下す）を検出した場合、画像取得ユニット１３は上記一つ、或は複数のファイルソースリストに基づいて、デジタルメディアサーバー２０のターゲットフォルダから画像をダウンロードすることができ、且つ壁紙画像設置ユニット１４は取得された画像をタッチセンサー表示ユニット１１の現在の壁紙画像とする。
【００３２】
特に、本実施例において、壁紙画像設置ユニット１４に取得された画像をタッチセンサー表示ユニット１１の現在の壁紙画像とする場合、壁紙画像設置ユニット１４は、タッチセンサー表示ユニット１１のデスクトップ表示ルールに満たすため、この画像の表示サイズを適応的に調整する。上記デスクトップ表示ルールは、例えば、壁紙画像の解像度、或は壁紙画像の表示形態（フルスクリーン表示、設定されたサイズに基づいての表示、或は元サイズに基づいての表示などの表示形態を含む）である。
【００３３】
例えば、本実施例において、一枚の画像を壁紙画像として表示する場合、壁紙画像設置ユニット１４は、この画像が直接にタッチセンサー表示ユニット１１の壁紙画像として表示することに適しているかどうかを先に判断（例えば、完全な画像をフルスクリーンで表示したり、設定されたサイズに基づいて、完全な画像を特定のサイズで表示させたり、或は完全な画像を元サイズで表示させたり、いずれとするかを判断）する。仮に、直接タッチセンサー表示ユニット１１の壁紙画像として表示することに適していない場合（例えば、画像の解像度が低すぎるか高すぎる）、壁紙画像設置ユニット１４は、タッチセンサー表示ユニット１１の現在のスクリーン解像度に基づいて、この画像の表示サイズを調整する。また、例えば、一つの実施例において、壁紙画像設置ユニット１４は、画像のオリジナルサイズとタッチセンサー表示ユニット１１の現在のスクリーン解像度を比較することができ、仮に、画像のオリジナルサイズはタッチセンサー表示ユニット１１の現在のスクリーン解像度に対応するフルスクリーン表示範囲を超えた場合、壁紙画像設置ユニット１４は、画像の解像度を下げ、画像の全体比率を変えない状態で、画像全体の表示サイズを縮小して完全な画像全体を壁紙画像として使用し、且つデスクトップ上に表示する。また、仮に、画像のオリジナルサイズが小さすぎた場合、壁紙画像設置ユニット１４は、タッチセンサー表示ユニット１１のデスクトップ表示ルールを満たすために、類似する方法を使用して、画像の表示サイズを調整する。よって、ユーザーは、画像を切り取る必要がなく、完全な画像を壁紙画像として表示することができる。
【００３４】
また、本発明の別の実施例において、ユーザーは、デジタルメディアコントローラを選択し、或はデジタルメディアコントローラを搭載する電子装置の記憶ユニットの一つ、或は複数のフォルダを選択して、上記のターゲットフォルダとすることができる。従って、ユーザーは、自らの選択、或は画像のダウンロードルールを設定する方式で、リモートのデジタルメディアサーバー、或はローカルデバイスの記憶ユニットからのターゲットフォルダを決定し、壁紙画像としたい画像を取得する。例えば、ユーザーは、一つのファイルソースリストにデジタルメディアコントローラ１０とデジタルメディアサーバー２０に保存される複数の画像のそれぞれに対応するファイルパスを加えることによって、画像取得ユニット１３は、このファイルソースリストに基づいて、必要な画像を取得することができる。言い換えれば、上記の方法に基づいて、デジタルメディアコントローラ１０はインターネットに接続していなくても、デジタルメディアコントローラ１０に保存された画像を直接読み込み、タッチセンサー表示ユニット１１の壁紙画像として使用することができる。
【００３５】
ここで説明すべきことは、本発明の実施例に記載されているトリガイベントはデフォルトルールに基づいて、能動的に生成され、或はユーザーが下す壁紙切り替え命令に基づいて受動的に生成されることができる、ということである。例えば、特定の秒数ごとに（例えば、１０秒）、或は所定時間を経過した後、イベント検出ユニット１２は、画像取得ユニット１３にデジタルメディアサーバー２０に向けて一つのリクエストパッケージを送信するように通知することができ、このリクエストパッケージは取得される画像関連情報（例えば、画像名称、或はファイルパスなどの情報）を有し、デジタルメディアサーバー２０はこのリクエストパッケージに基づいて、対応する画像を画像取得ユニット１３に返送することができる。これによって、画像取得ユニット１３はデジタルメディアサーバー２０より取得された一つ、或は複数のファイルソースリストに基づいて、ターゲットフォルダ中の複数の画像を順に取得し、且つダウンロードされた画像をタッチセンサー表示ユニット１１の壁紙画像として順に設置することができる。
【００３６】
また、本発明のもう一つの実施例において、デジタルメディアコントローラのタッチセンサー表示ユニット（例えば、タッチセンサー表示ユニット１１）は、さらに、ユーザーが下す壁紙切り替えの命令の操作インターフェースを表示するために用いられることもできる。例えば、イベント検出ユニット１２は、タッチセンサー表示ユニット１１から、ユーザーが下す壁紙切り替えの命令を受信した時、この壁紙切り替えの命令に基づいてデジタルメディアサーバー２０より対応する画像を取得することができる。
【００３７】
例えば、図２は本発明の実施例１に係るタッチセンサー表示ユニット１１に表示される操作インターフェースの概略図である。図２を参照されたい。タッチセンサー表示ユニット１１はある一つの壁紙画像を表示する時に、操作インターフェース２１を同時に表示し、ユーザーが壁紙画像を見る際、タッチ、或はその他の入力方式による入力信号を操作インターフェース２１を用いて送信することで画像を切り替えるなどの機能を実行する。尚、本実施例において、操作インターフェース２１がタッチセンサー表示ユニット１１に表示される壁紙画像、或はその他の画面を覆い隠すのを避けるために、操作インターフェース２１は透明である。
【００３８】
図１を再度参照し、上記機能を達成するために、本発明の一つの実施例において、デジタルメディアコントローラ１０はコントロール領域定義ユニット１５をさらに備える。コントロール領域定義ユニット１５はタッチセンサー表示ユニット１１に接続され、タッチセンサー表示ユニット１１の複数のコントロール領域を定義するために用いられる。
【００３９】
具体的には、図２を再度参照されたい。前記コントロール領域定義ユニット１５はタッチセンサー表示ユニット１１に表示される操作インターフェース２１上の第一コントロール領域２１１と第二コントロール領域２１２とに区分することができる。例えば、前記コントロール領域定義ユニット１５は、タッチセンサー表示ユニット１１が現在使用される解像度に基づいて、タッチセンサー表示ユニット１１に表示される画面領域を左側と中央、及び右側の同じような大きさの３等分領域に分け、第一コントロール領域２１１と第二コントロール領域２１２は、そのうちの左右両側の対称位置にそれぞれ設置されるようにすることができる。これにより、第一コントロール領域２１１と第二コントロール領域２１２のそれぞれの管理範囲を適切に管理することができ、且つそれぞれの管理範囲に対してタッチ操作を検出した場合、対応する入力信号が生成されるようにすることができる。
【００４０】
例えば、ユーザーは、タッチセンサー表示ユニット１１においてのタッチ操作に対応する座標が第一コントロール領域２１１内にある時、タッチセンサー表示ユニット１１はイベント検出ユニット１２に第一入力信号を送信する。次に、イベント検出ユニット１２はこの第一入力信号を検出した場合、ユーザーが第一コントロール領域２１１に対応する所定操作を実行したいと指示しているものと判断する。
【００４１】
本実施例において、第一コントロール領域２１１に対応する所定操作は現在参照されたファイルソースリストに基づいて、前回取得され且つ設置されていた画像を、タッチセンサー表示ユニット１１の新たな現在の壁紙画像とすることができる。また、第二コントロール領域２１２に対応する所定操作は、現在参照されたファイルソースリストに基づいて、デジタルメディアサーバー（例えば、デジタルメディアサーバー２０）よりこれまでとは別の画像をダウンロードすることができ、且つこの時に取得された画像を、タッチセンサー表示ユニット１１の現在用の壁紙画像とすることができる。
【００４２】
さらにまた、イベント検出ユニット１２が、第一コントロール領域２１１に対応する入力信号（例えば、ユーザーのタッチ）を検出した場合に、画像取得ユニット１３は現在参照されたファイルソースリストを照会し、以前に設置された以前の壁紙画像のデジタルメディアサーバー（例えば、デジタルメディアサーバー２０）においてのファイルパスを取得し、このファイルパスに基づいて、デジタルメディアサーバーよりそれをダウンロードし、且つそれをタッチセンサー表示ユニット１１の現在の壁紙画像とすることもできる。
【００４３】
また、本発明のもう一つの実施例において、一度ダウンロードされた画像はデジタルメディアコントローラ１０（例えば、メモリ）に一定期間保存されてから、ユーザーに削除するかどうかを決められる。よって、新たに前の画像を壁紙画像として再度表示する必要がある場合、画像取得ユニット１３は前の壁紙画像のファイル名、或は番号に基づいて、それを直接読み取り、且つ壁紙画像設置ユニット１４から、それをタッチセンサー表示ユニット１１の現在用の壁紙画像として設置することができる。
【００４４】
他方、イベント検出ユニット１２が第二コントロール領域２１２に対応する入力信号（例えば、ユーザーのタッチ）を検出した場合、画像取得ユニット１３は現在参照されたファイルソースリストを照会することによって、現在壁紙画像とする次の画像のデジタルメディアサーバー（例えば、デジタルメディアサーバー２０）においてのファイルパスを取得し、このファイルパスに基づいて、デジタルメディアサーバーよりそれをダウンロードし、且つそれをタッチセンサー表示ユニット１１の現在の壁紙画像とする。しかし、ここで注意すべきことは、本実施例の第一コントロール領域２１１と第二コントロール領域２１２にそれぞれ対応する所定操作はその他の変化を有することができる。例えば、ユーザーが第二コントロール領域２１２をタッチした場合、タッチセンサー表示ユニット１１は画像選択ウィンドウを表示し、ユーザーに次の壁紙画像として画像を選択させることができる。即ち、本発明は上記複数のコントロール領域にそれぞれ対応する所定操作に関して、制限しない。
【実施例２】
【００４５】
図３は本発明の実施例２に係るタッチセンサー表示ユニット１１に表示される操作インターフェースの概略図である。図３を参照されたい。本実施例において、操作インターフェース３１は実質上、図２の操作インターフェース２１と類似しており、異なる所は、操作インターフェース３１が第三コントロール領域３１１をさらに備えている点である。第三コントロール領域３１１の管理範囲は同様に前記コントロール領域定義ユニット１５に基づいて配置される。特に、第三コントロール領域３１１は複数のアプリケーションプロセスショートカット３１１１〜３１１４を有し、アプリケーションプロセスショートカット３１１１〜３１１４はそれぞれのアプリケーションプロセスに対応する。
【００４６】
この実施例において、デジタルメディアコントローラ１０はアプリケーションプロセス実行ユニット１６をさらに備えることができる。アプリケーションプロセス実行ユニット１６はイベント検出ユニット１２に接続され、アプリケーションプロセスショートカット３１１１〜３１１４に対応するアプリケーションプロセスを実行するために用いられる。例えば、図３において、イベント検出ユニット１２が、ユーザーによる第三コントロール領域３１１からの入力信号（例えば、ユーザーの指でのタッチ）を検出した場合、アプリケーションプロセス実行ユニット１６はこの入力信号が示すタッチセンサー表示ユニット１１の対応する座標のアプリケーションプロセスショートカット（例えば、アプリケーションプロセスショートカット３１１１）に基づいて、その対応するアプリケーションプロセスを実行することができる。これらのアプリケーションプロセスは画像の切り取り、画像の解像度調整、或は画像シェーディング、或は輝度の調整など画像と関連する各アプリケーションを提供するものであり、本発明はそれらに関して限定を設けるものではない。例えば、ユーザーがアプリケーションプロセスショートカット３１１１をタッチした時、アプリケーションプロセス実行ユニット１６は画像解像度を調整するためのアプリケーションプロセスを起動し、ユーザーはこのアプリケーションプロセスを利用してタッチセンサー表示ユニット１１の壁紙画像とされたい画像に対して解像度を増加、或は減少させることができる。
【００４７】
ここで注意すべきことは、本発明の実施例のタッチセンサー表示ユニット１１と、イベント検出ユニット１２と、画像取得ユニット１３と、壁紙画像設置ユニット１４と、コントロール領域定義ユニット１５、及びアプリケーションプロセス実行ユニット１６は、例えば、ロジック回路素子によって構成されるハードウェアデバイスであり、上記機能をそれぞれ実行することができる。これらのユニットはデジタルメディアコントローラ１０のハードドライブ、或はメモリのファームウェアプログラムに保存することができ、デジタルメディアコントローラ１０のプロセッサにロードされ、上記機能をそれぞれ実行する。
【００４８】
図４は本発明の実施例２に係る壁紙画像を設置する方法のフロー図である。図１と図４を参照されたい。ステップＳ４０２において、イベント検出ユニット１２がトリガイベント（例えば、ユーザーが壁紙画像を切り替える指示を下す）を検出した場合、画像取得ユニット１３はファイルソースリストに基づいて、デジタルメディアサーバー２０のターゲットフォルダより画像を取得する。ステップＳ４０４において、壁紙画像設置ユニット１４はこの画像をタッチセンサー表示ユニット１１の現在の壁紙画像とし、この画像の表示サイズがタッチセンサー表示ユニット１１のデスクトップ表示ルールを満たすように処理する。例えば、壁紙画像設置ユニット１４はタッチセンサー表示ユニット１１のデスクトップ表示ルール（例えば、壁紙画像の解像度、或は壁紙画像の表示形態。表示形態はフルスクリーン表示、設定されたサイズに基づいての表示、或は元サイズに基づいての表示）に基づいて、画像を適応的に調整して壁紙として表示できる表示サイズとする。
【００４９】
ここで注意すべきことは、上記方法に関しては、上記実施例より十分な教示、アドバイスと実施説明を得ることができるから、ここで繰り返して述べない。
【００５０】
上記をまとめると、本発明の実施例に開示された壁紙画像の設置方法とデジタルメディアコントローラは、自動的に、或はユーザーのニーズに基づいて、デジタルメディアサーバーより画像を取得することができ、且つ取得された画像を即時にデジタルメディアコントローラのタッチセンサー表示ユニットの現在の壁紙画像とすることができる。また、デジタルメディアコントローラのタッチセンサー表示ユニットのデスクトップ表示ルールに基づいて、画像の表示サイズを調整することによって、画像を完全、且つ歪むことなくデスクトップに表示することができる。よって、本発明によるときは、電子装置の壁紙画像を設置する時の便利さが大幅に高められる。
【００５１】
上記は例示的なものであって、本発明を限定するためのものではない。本発明の技術的思想および範囲から逸脱することなく、行われる等価の修正または変更は、いずれも別紙の特許請求の範囲に含まれる。
【産業上の利用可能性】
【００５２】
本発明は以上の如く構成したため、本発明は、デジタルメディアサーバーに提供される完全な画像を即時に壁紙画像とすることによって、壁紙画像を設置する時の便利さを大幅に高めることができる壁紙画像の設置方法とデジタルメディアコントローラを提供し得るものである。
【符号の説明】
【００５３】
１０    デジタルメディアコントローラ
１１    タッチセンサー表示ユニット
１２    イベント検出ユニット
１３    画像取得ユニット
１４    壁紙画像設置ユニット
１５    コントロール領域定義ユニット
１６    アプリケーションプロセス実行ユニット
２０    デジタルメディアサーバー
２１、３１  操作インターフェース
２１１    第一コントロール領域
２１２    第二コントロール領域
３１１    第三コントロール領域
３１１１〜３１１４  アプリケーションプロセスショートカット
Ｓ４０２〜Ｓ４０４  本発明の実施例に係る壁紙画像の設置方法のステップ
【図１】
2014016984.tif 000003
【図２】
2014016984.tif 000004
【図３】
2014016984.tif 000005
【図４】
2014016984.tif 000006